(57)【要約】【課題】  美容院等において頭髪にパーマネントをかけるためにロッドに巻き付けた頭髪を輪ゴムによって係止固定する際に従来実施されていたクロス掛けを未習熟者であっても、容易、且つ作業性よく行うことを可能とするパーマネント用輪ゴムを提供する。【解決手段】  ゴム線材を環状に構成したリング部２と、該リング部内にＸ字状に差し渡されて一体化されたゴム線材から成るＸ字状部３と、から成る。【選択図】      図１
2006068332.tif 000002
【特許請求の範囲】
【請求項１】
ゴム線材を環状に構成したリング部と、該リング部内に差し渡されて一体化されたゴム線材から成る差し渡し部と、から成ることを特徴とするパーマネント用輪ゴム。
【請求項２】
前記差し渡し部は、ゴム線材をＸ字状に交差させたＸ字状部を１個、又は複数個、前記リング部内に配置した構成を有していることを特徴とする請求項１に記載のパーマネント用輪ゴム。
【請求項３】
前記差し渡し部は、一本、又は複数本の直線状、又は非直線状のゴム線材から成ることを特徴とするパーマネント用輪ゴム。
【請求項４】
前記ゴム線材は、ゴム、或いはゴムと樹脂との合成材料から構成されることを特徴とする請求項１、２、又は３に記載のパーマネント用輪ゴム。
【発明の詳細な説明】
【技術分野】
【０００１】
本発明は美容院等において頭髪にパーマネントをかける前手順として実施される、ロッドに巻き付けた頭髪を輪ゴムによって係止固定する作業に際して発生していた不具合を解決することができるパーマネント用輪ゴムに関する。
【背景技術】
【０００２】
美容院、理容院において顧客の頭髪にカールやウェーブを形成するためにパーマネントをかける場合には、適量の毛髪を円筒状のロッドに巻き付けてから輪ゴムを用いて毛髪をロッドに固定する作業が行われる。従来からロッドについては作業性を改善するために種々の提案がなされている（例えば、特開平９−２６６８１１号、特開平９−３１３２３７号公報）。従来のロッドに共通する構造は、ロッドの長手方向両端縁に切欠き、或いは突起状のゴム係止部を設けて輪ゴムの適所をロッドの両端に設けたゴム係止部にて係止することにより、ロッドに巻き付けた毛髪を輪ゴムの弾性力により押さえ込んで固定していた。
ところで、輪ゴムをロッドの両端部に夫々設けたゴム係止部に対して単純に係止するだけでは、ロッドに巻き付けた毛髪を十分に押さえ込むことができない場合には、図５に示すようにロッド１００の周面の毛髪１１０上で輪ゴム１０５がＸ字状にクロスするように輪ゴム１０５を捻った状態にしてロッド両端部のゴム係止部１０１に係止するクロス掛けという技術が実施される。クロス掛けは、ロッド１００に巻き付いた毛髪１１０の緩みや、短い髪の毛先が突出することを防ぐために行われる。
しかし、このクロス掛けは、熟練を要する高度な技術であり、熟練したパーマネント技術者にとっても手数のかかる煩雑な作業であり、作業時間を長期化させる原因となっている。
【特許文献１】特開平９−２６６８１１号公報
【特許文献２】特開平９−３１３２３７号公報
【発明の開示】
【発明が解決しようとする課題】
【０００３】
本発明は上記に鑑みてなされたものであり、美容院等において頭髪にパーマネントをかけるためにロッドに巻き付けた頭髪を輪ゴムによって係止固定する際に従来実施されていたクロス掛けを未習熟者であっても、容易、且つ作業性よく行うことを可能とするパーマネント用輪ゴムを提供することを目的としている。
【課題を解決するための手段】
【０００４】
上記課題を解決するため、請求項１の発明は、ゴム線材を環状に構成したリング部と、該リング部内にＸ字状に差し渡されて一体化されたゴム線材から成るＸ字状部と、から成ることを特徴とする。
請求項２の発明は、請求項１において、前記リング部内に前記Ｘ字状部を複数個直列に配置したことを特徴とする。
請求項３の発明は、請求項１又は２において、前記ゴム線材は、ゴム、或いはゴムと樹脂との合成材料から構成されることを特徴とする。
【発明の効果】
【０００５】
請求項１の発明によれば、従来の単なる環状の輪ゴムに代えて、リング部内にＸ字状にクロスするＸ字上部を備えた構成を有するため、リング部の両端部をロッド両端部に係止するだけで、ロッドに巻き付けた毛髪を押さえ込むことができる。このため、毛髪の緩みや短い毛髪の突出を防止できる。
請求項２の発明によれば、Ｘ字上部を複数個配置したので、ロッド外周の毛髪を押さえ付ける効果を更に高めることが出来る。
請求項３の発明によれば、ゴム線材を伸縮自在な弾性材料から構成しているので、操作性が良好であり、かつ耐久性も確保できる。
【発明を実施するための最良の形態】
【０００６】
以下、本発明を図面に示した実施の形態により詳細に説明する。
図１（ａ）（ｂ）及び（ｃ）は本発明の一実施形態に係るパーマネント用輪ゴムの構成を示す斜視図、正面図、及び側面図である。
このパーマネント用輪ゴム１は、ゴム線材を環状に構成したリング部２と、リング部２内にＸ字状に差し渡されて一体化されたゴム線材から成るＸ字状部３（差し渡し部Ａ）と、から構成されている。
リング部２、及びＸ字状部３を構成するゴム線材は、周知の輪ゴムと同様に、ゴム、或いはゴムと樹脂との合成材料から構成される。その断面形状は、矩形、丸形、その他任意の形状とすることができる。
Ｘ字状部３は、２本の直線状のゴム線材をＸ字状にクロスさせた状態で一体化した構成を備えており、その４つの端部をリング部２の内壁に固定することにより、中心部Ｃから４本のゴム線材が９０間隔で放射状に延びた形状となっている。そして、リング部２とＸ字状部３は、弾性変形が容易である。
このパーマネント用輪ゴム１は、組み合わせ使用するロッドの径寸法、軸方向寸法等の違いに応じて、サイズの異なるものを準備しておき、使用することが出来る。
図２（ａ）（ｂ）はこのパーマネント用輪ゴムとロッドを用いて頭髪を束ねている状態を示している。
図２（ａ）はロッド１０の外周に所要量の毛髪２０を巻き付けた状態を示しており、図中に示す本発明のパーマネント用輪ゴム１は、そのリング部２の対向する２つの端縁部２ａ、２ｂをロッド１０の軸方向両端部に設けた溝状のゴム係止部１１に夫々係止することによって、（ｂ）に示すようにロッド１０に対して毛髪２０を確実に押さえ込むことが出来る。
使用するロッド１０としては、図示した如き単純形状のロッドでもよいし、両端部にゴム係止部を備えていれば他のタイプにも適用できる。
図３は本発明のパーマネント用輪ゴムの変形例であり、このパーマネント用輪ゴム１は、楕円形のリング部２の内部に、差し渡し部Ａとして、Ｘ字状部３を二個（三個以上でもよい）直列に配置した構成を有している。このリング部２の長手方向両端部をロッドの両端部のゴム係止部１１に係止することによって更に毛髪を確実に押さえ込むことが可能となる。
【０００７】
本発明のパーマネント用輪ゴム１は、要するに、ゴム線材を環状に構成したリング部２と、リング部２内に差し渡されて一体化されたゴム線材から成る差し渡し部Ａと、から成り、差し渡し部Ａの態様は種々様々である。
例えば、図４（ａ）のように略Ｙ字状の差し渡し部Ａ、同図（ｂ）のようにリング部２の中心部から放射状に多数本のゴム線材が延びた形状の差し渡し部Ａ、（ｃ）のように湾曲した２本のゴム線材を略Ｘ字状に交差させた差し渡し部Ａ、（ｄ）のようにＹ字状のゴム線材を２つ組み合わせた差し渡し部Ａ、（ｅ）のように一本のゴム線材を直線状に差し渡した差し渡し部Ａ、（ｆ）のように２本のゴム線材を平行（平行でなくても良い）に差し渡した差し渡し部Ａ、更には、（ｇ）のように４本のゴム線材を井桁状に差し渡した差し渡し部Ａ等々、多様な構成を含むものである。
つまり、本発明の差し渡し部Ａには、一本、又は複数本の直線状、又は非直線状（湾曲状、波形、ジグザグ状等）のゴム線材から成るものをも含むものであるが、図示したタイプに限定される訳ではなく、リング部２内にゴム線材を差し渡した構成は全て本発明に含まれるものである。差し渡し部Ａは、リング部２をロッド１０の両端部に係止した時に、ロッドの胴部に巻き付いている頭髪を有効に押さえ込むことができる機能を発揮し得る構成であれば、どのような構成であっても差し支えない。但し、リング部２と差し渡し部Ａを同一材料とし、これらを一括して一体成形することにより、その構成、製造手数をシンプル化して低コスト化することが可能となる。
また、非使用時におけるリング部２の形状は円形である必要はなく、楕円形、長円形、四角形等の多角形、その他の任意の形状としてもよい。例えば、図４（ｄ）のリング部のように楕円形状のリング部の両端部にロッドの両端部に係止し易くするための突状部を設けても良い。
【図面の簡単な説明】
【０００８】
【図１】（ａ）（ｂ）及び（ｃ）は本発明の一実施形態に係るパーマネント用輪ゴムの構成を示す斜視図、正面図、及び側面図。
【図２】（ａ）（ｂ）はパーマネント用輪ゴムとロッドを用いて頭髪を束ねている状態を示す図。
【図３】本発明のパーマネント用輪ゴムの変形例の説明図。
【図４】（ａ）乃至（ｇ）は本発明のパーマネント用輪ゴムの変形例の説明図。
【図５】従来例の説明図。
【符号の説明】
【０００９】
１  パーマネント用輪ゴム、２  リング部、３  Ｘ字状部、Ａ  差し渡し部、１０  ロッド、１１  ゴム係止部。
【図１】
2006068332.tif 000003
【図２】
2006068332.tif 000004
【図３】
2006068332.tif 000005
【図４】
2006068332.tif 000006
【図５】
2006068332.tif 000007